(57)【特許請求の範囲】
【請求項１】
直線的に配置された外周梁とそれに直交する屋内側の梁つなぎとの接続部における断熱気密構造であって、
前記外周梁の屋内側面を外周断熱材により覆い、
該外周断熱材の屋内側面に気密シートを密着させて覆い、
前記接続部に、前記気密シートの屋内側面に密着する外周密着面と、前記梁つなぎの接続端部に密着する端部密着面とを備える気密カバーを密着させ、
前記接続部から屋内側へ所定距離だけ離れた位置までにおける前記梁つなぎの周囲に、該梁つなぎの周囲の形状に合致する断熱部材からなる断熱部と、該断熱部の外周に一体的に設けられた気密部材であって、その屋外側端部には前記気密カバーの屋内側面に密着するカバー密着面を有し、その屋内側端部には前記断熱部より屋内側における前記梁つなぎの周囲に密着する梁つなぎ密着面を有する気密部とを備える断熱気密カバーを密着させたことを特徴とする梁の接続部における断熱気密構造。
【請求項２】
前記梁つなぎが内部に空洞を有する場合において、該空洞部における前記断熱気密カバーの梁つなぎ密着面の内側位置に、前記空洞部の断面形状に合致する形状の断熱気密パッキングを嵌入したことを特徴とする請求項１記載の梁の接続部における断熱気密構造。
【請求項３】
前記気密カバーは、前記外周密着面が平面形状に形成され、前記端部密着面が前記梁つなぎの接続端部の形状に合致する嵌合凹溝を有して形成されていることを特徴とする請求項１又は２記載の梁の接続部における断熱気密構造。
【請求項４】
前記断熱気密カバーは、前記断熱部が前記梁つなぎの周囲の形状と略同一形状の密着面を有して一定厚さに形成され、前記気密部が前記断熱部の周囲に密着して覆う周囲気密面と、該周囲気密面に垂直に形成されて前記気密カバーに密着する平面形状のカバー密着面と、前記断熱部より屋内側における前記梁つなぎの周囲の形状と略同一形状の梁つなぎ密着面とを有して形成されたことを特徴とする請求項１〜３のいずれか１項に記載の梁の接続部における断熱気密構造。
【発明の詳細な説明】
【０００１】
【発明の属する技術分野】
本発明は、住宅等の建物の断熱気密構造、特に、直線的に配置された外周梁とそれに直交する梁つなぎとの接続部における断熱気密構造に関するものである。
【０００２】
【従来の技術】
近年、住宅には、計画的な換気による住宅の快適性の向上や、断熱性の向上による省エネルギー化を図るために、住宅の気密性が求められるようになってきている。一般に、気密住宅とは、気密性能を表す相当隙間面積が床面積１平方メートル当たり５平方センチメートル以下のものをいい、これを達成するために、住宅の内部空間全体を気密面で囲うように気密工法が施工される。
【０００３】
気密面の設定の方法として、住宅の各階のそれぞれを、独自の気密面で囲う方法と、住宅の全体を気密面で囲う方法とがある。後者を採用した場合には、気密工法を施工する面積が少なくなるという利点があるが、各階の間の梁部分、特に梁の接続部の気密を確保することが難しい。
【０００４】
現在、住宅の各階、例えば１階と２階との間に設けられた梁部分の気密を確保する方法として、湿式気密工法と乾式気密工法とがある。湿式気密工法は、梁の接続部等にウレタン等の樹脂を吹き付けることにより気密性を確保するものであるが、ウレタンを吹き付ける際に、有毒ガスの疑いがある塩素系ガスが発生するので、作業者の安全を確保するために、同時進行で内装工事等を施工することができない。また、ウレタンの吹付けは、大工等は行うことができず、専門工を必要とする。これらにより、湿式気密工法は、施工効率が悪いという問題があった。更に、ウレタンはその発泡のために通常はフロンガスを使用しており、環境面からも問題があった。
【０００５】
一方、乾式気密工法では、上記問題を解決することができるが、梁の接続部等は、その形状が複雑なものであるため、気密性を確保することが困難であった。すなわち、図１２に示すように、Ｈ型の外周梁１の屋内側に、接続端部６を有するＣ型の梁つなぎ２が直交して当接し、該接続端部６に設けられた挿通孔と外周梁１に設けられた挿通孔とに挿通されるボルト１６により固定される接続部Ａにおいては、図１３に示すように、外周梁１の屋内側面に外周断熱材３を配置し、その上に発泡ポリエチレン等からなる気密シート４を密着させ、該気密シート４の端部と梁つなぎ２の接続端部６の間に生じた隙間に気密テープ２４を折り曲げながら貼り付けることにより密封し、外周梁１の屋内側面に沿って気密性を確保していた。
【０００６】
【発明が解決しようとする課題】
しかし、このような従来の工法では、梁の接続部の形状に従い、適宜、現場において気密シート４の加工が必要となるが、梁の接続部の形状は複雑であるので、その加工は容易でない。また、気密テープ２４を複雑な形状に合わせて折り曲げながら貼り付けるので、気密テープ２４に歪みや隙間が生じやすく、これにより、気密性を十分に確保できないという問題がある。更に、梁つなぎ２が接続されている外周梁１は外気に接しているので、外気の温度が屋内の気温よりも低い場合には、外周梁１を通して梁つなぎ２までもが低温となることがある。このため、屋内の比較的暖かく湿った空気と接している梁つなぎ２に結露が発生し易いという問題もある。
【０００７】
本発明は、上記の点に鑑みてなされたものであり、住宅等の建物の断熱気密構造、特に、直線的に配置された外周梁とそれに直交する梁つなぎとの接続部において、簡易な施工により確実に気密性を確保できるようにするとともに、結露が生じないようにすることができる梁の接続部の断熱気密構造を提供することを技術課題とするものである。
【０００８】
【課題を解決するための手段】
上記技術課題を解決するための具体的手段は、次のようなものである。すなわち、請求項１に記載する梁の接続部における断熱気密構造は、直線的に配置された外周梁とそれに直交する屋内側の梁つなぎとの接続部における断熱気密構造であって、前記外周梁の屋内側面を外周断熱材により覆い、該外周断熱材の屋内側面に気密シートを密着させて覆い、前記接続部に、前記気密シートの屋内側面に密着する外周密着面と、前記梁つなぎの接続端部に密着する端部密着面とを備える気密カバーを密着させ、前記接続部から屋内側へ所定距離だけ離れた位置までにおける前記梁つなぎの周囲に、該梁つなぎの周囲の形状に合致する断熱部材からなる断熱部と、該断熱部の外周に一体的に設けられた気密部材であって、その屋外側端部には前記気密カバーの屋内側面に密着するカバー密着面を有し、その屋内側端部には前記断熱部より屋内側における前記梁つなぎの周囲に密着する梁つなぎ密着面を有する気密部とを備える断熱気密カバーを密着させたことを特徴とするものである。
【０００９】
請求項２に記載する梁の接続部における断熱気密構造は、請求項１に記載する構成において、前記梁つなぎが内部に空洞を有する場合において、該空洞部における前記断熱気密カバーの梁つなぎ密着面の内側位置に、前記空洞部の断面形状に合致する形状の断熱気密パッキングを嵌入したことを特徴とするものである。
【００１０】
請求項３に記載する梁の接続部における断熱気密構造は、請求項１又は２に記載する構成において、前記気密カバーは、前記外周密着面が平面形状に形成され、前記端部密着面が前記梁つなぎの接続端部の形状に合致する嵌合凹溝を有して形成されていることを特徴とするものである。
【００１１】
請求項４に記載する梁の接続部における断熱気密構造は、請求項１〜３のいずれか１項に記載する構成において、前記断熱気密カバーは、前記断熱部が前記梁つなぎの周囲の形状と略同一形状の密着面を有して一定厚さに形成され、前記気密部が前記断熱部の周囲に密着して覆う周囲気密面と、該周囲気密面に垂直に形成されて前記気密カバーに密着する平面形状のカバー密着面と、前記断熱部より屋内側における前記梁つなぎの周囲の形状と略同一形状の梁つなぎ密着面とを有して形成されたことを特徴とするものである。
【００１２】
【発明の実施の形態】
以下、本発明に係る梁の接続部における断熱気密構造について図面に基づいて説明する。本発明の第１実施形態に係る梁の接続部における断熱気密構造は、図１に示すように、直線的に配置された外周梁１とそれに直交する屋内側の梁つなぎ２との接続部Ａにおける断熱気密構造であって、外周梁１の屋内側面を外周断熱材３により覆い、該外周断熱材３の屋内側面に気密シート４を密着させて覆い、接続部Ａに、気密シート４の屋内側面に密着する外周密着面５と、梁つなぎ２の接続端部６（図３参照）に密着する端部密着面７とを備える気密カバー８を密着させ、接続部Ａから屋内側へ所定距離Ｌだけ離れた位置までにおける梁つなぎ２の周囲に、該梁つなぎ２の周囲の形状に合致する断熱部材からなる断熱部９（図９参照）と、該断熱部９の外周に一体的に設けられた気密部材であって、その屋外側端部には前記気密カバー８の屋内側面に密着するカバー密着面１０を有し、その屋内側端部には前記断熱部９より屋内側における前記梁つなぎ２の周囲に密着する梁つなぎ密着面１１を有する気密部１２とを備える断熱気密カバー１３を密着させるとともに、梁つなぎ２の空洞部における断熱気密カバー１３の梁つなぎ密着面１１の内側位置に、空洞部の断面形状に合致する形状の断熱気密パッキング１４を嵌入したものである。以下更に詳細に説明する。
【００１３】
図２は、住宅の各階、例えば１階と２階との間に設けられた梁の配置を示した平面図であり、図中の斜線部は気密面を設けて気密性を確保すべき部分を示している。該気密面に沿って配置される外周梁１とそれに直交する梁つなぎ２とが接続するのは、図中の接続部Ａである。この接続部Ａにおいては、図３に示すように、Ｈ形断面の外周梁１の屋内側面に、接続端部６を有するＣ形断面の梁つなぎ２が当接され、該接続端部６に設けられた挿通孔と外周梁１のウェブ１５に設けられた挿通孔とに挿通されたボルト１６により固定されて構成されている。梁つなぎ２の接続端部６は、梁つなぎ２から延設された平板状部分であって、その屋外側端部は外周梁１のウェブに当接するために直角に折り曲げられて形成されている。外周梁１は、軸組１７の上に配置されており、該軸組１７の屋内側には断熱内壁枠１８が配設されている。
【００１４】
そして、図４に示すように、前記外周梁１の屋内側のＨ形溝に外周断熱材３を隙間なく配設することにより屋内側面を断熱材により覆う。該外周断熱材３は、例えばグラスウール等の断熱素材を、予め配設すべき空間に合致するように形成した袋体内に詰めたもの等を使用することができる。該袋体は、断熱素材の飛散等を防止するために合成樹脂等の隙間のない部材によって形成する。また、外周梁１と断熱内壁枠１８との間に形成される空間にも隙間断熱材１９を隙間なく配設する。
【００１５】
次に、図５に示すように、前記外周断熱材３の屋内側面に気密シート４を密着させて配置する。この際、梁つなぎ２の接続端部６の一側面６ａ側に配置される一側面側気密シート４ａと他側面６ｂ側に配置される他側面側気密シート４ｂとを重ね合わせて配置する。ここでは、一側面側気密シート４ａの重合端部４ｃを直線形状として梁つなぎ２の接続端部６の一側面６ａに沿って配置するとともに、他側面側気密シート４ｂの重合端部４ｄに梁つなぎ２の接続端部６の上下方向の長さに合わせたコ字形の切欠き４ｅを形成して該切欠き４ｅに接続端部６を入れ、接続端部６の上下において一側面側気密シート４ａと重ね合わせる構成としている。また、気密シート４の上端側４ｆは外周梁１の上面に載置されて床下地を構成する軽量気泡コンクリート板２５の下面に沿って水平方向に折り曲げ、下端側は隙間断熱材１９及び断熱内壁枠１８の上部を覆うようにして貼り付ける。気密シート４としては、例えばシート状に形成した発泡ポリエチレンなどを使用することができる。
【００１６】
その後、図６に示すように、外周梁１と梁つなぎ２との接続部Ａには、気密カバー８を密着させて配置する。該気密カバー８は、図７にも示すように、一側面側気密シート４ａの屋内側面に密着する外周密着面５ａと、梁つなぎ２の接続端部６の一側面６ａに密着する端部密着面７ａと、気密シート４の上端側４ｆの下面に密着する上面密着面２０とを備える第１気密カバー８ａと、該第１気密カバー８ａに対して対称に形成され、他側面側気密シート４ｂの屋内側面に密着する外周密着面５ｂと、梁つなぎ２の接続端部６の他側面６ｂに密着する端部密着面７ｂと、気密シート４の上端側４ｆの下面に密着する上面密着面２０とを備える第２気密カバー８ｂとから構成される。
【００１７】
第１気密カバー８ａ及び第２気密カバー８ｂの前記外周密着面５ａ、５ｂは、前記気密シート４の重合部近傍の屋内側面を覆う略矩形の平面形状に形成されている。前記端部密着面７ａ、７ｂは、外周密着面５ａ、５ｂに対して直角、すなわち、梁つなぎ２の接続端部６の両側面６ａ、６ｂに対して平行な平面形状であって、その上下方向中央部近傍には、接続端部６の形状に合致するように第１気密カバー８ａと第２気密カバー８ｂとが結合した状態で接続端部６の外周形状と略同一形状の密着面を構成する嵌合凹溝２１ａ、２１ｂがそれぞれ形成されており、該嵌合凹溝２１ａ、２１ｂをそれぞれ接続端部６の一側面６ａ、他側面６ｂに嵌合させて密着させることができるようになっている。前記上面密着面２０は、外周密着面５ａ、５ｂ及び端部密着面７ａ、７ｂの上端部において、これらに対して直角に、すなわち、地面に対して平行に設けられる平面状部分である。
【００１８】
ここで、気密カバー８としては、例えばシート状のポリエチレンやポリプロピレンを所定の形状に形成したもの等を使用することができる。そして、図示しないが、第１気密カバー８ａ及び第２気密カバー８ｂにおける外周密着面５ａ、５ｂ、端部密着面７ａ、７ｂ、嵌合凹溝２１ａ、２１ｂ及び上面密着面２０には、あらかじめ両面粘着テープが設けられており、それぞれ密着すべき面に対して容易に密着させることができ、気密性を確保することができるようになっている。
【００１９】
次に、図１に示すように、外周梁１と梁つなぎ２との接続部Ａから屋内側へ所定距離Ｌだけ離れた位置までにおける梁つなぎ２の周囲に断熱気密カバー１３を密着させて配置する。ここで、断熱気密カバー１３は、図８にも示すように、梁つなぎ２に対して一側面２ａ側から密着する第１断熱気密カバー１３ａと他側面２ｂ側から密着する第２断熱気密カバー１３ｂとから構成されており、第１断熱気密カバー１３ａと第２断熱気密カバー１３ｂとは、それぞれ梁つなぎ２の周囲に密着する断熱部材からなる断熱部９と該断熱部９の外周を覆う気密部材からなる気密部１２とを有している。
【００２０】
前記断熱部９は、図１及び図９に示すように、第１断熱気密カバー１３ａと第２断熱気密カバー１３ｂとが結合した状態において、梁つなぎ２の周囲の形状と略同一形状の密着面を内側に有する一定厚さの中空四角柱形状に形成されており、前記接続部Ａから屋内側へ所定距離Ｌだけ離れた位置までにおける梁つなぎ２の周囲を覆う長さを有した断熱部材である。該所定距離Ｌとしては、外周梁１を通して屋内の気温よりも低温となる部分を覆い結露を防止するために十分な距離とし、例えば、前記接続部Ａから５０〜１００ｃｍ程度とする。断熱部９を構成する断熱部材としては、例えばグラスウール等の断熱素材を、予め断熱部９の形状に合致するように形成した袋体内に詰めたもの等を使用することができる。該袋体は、断熱素材の飛散等を防止するために合成樹脂等の隙間のない部材によって形成する。
【００２１】
前記気密部１２は、断熱部９の外周に一体的に設けられた気密部材であって、第１断熱気密カバー１３ａと第２断熱気密カバー１３ｂとが結合した状態において、断熱部９の周囲に密着して覆う周囲気密面２２と、該周囲気密面２２の屋外側端部に形成されて前記気密カバー８に密着するカバー密着面１０と、周囲気密面２２の屋内側端部に形成されて前記断熱部９により覆われた部分よりも屋内側における梁つなぎ２の周囲に密着する梁つなぎ密着面１１とを有して形成されている。ここで、前記周囲気密面２２は、断熱部９の周囲の形状と略同一形状の四角柱形状に形成されるとともに、その屋内側端部には断熱部９の屋内側端面に密着する段差部２２ａが形成され、断熱部９の周囲に密着して一体的に形成されている。前記カバー密着面１０は、周囲気密面２２の屋外側端部の外周において周囲気密面２２に対して垂直な面を延設することにより平面形状に形成されている。前記梁つなぎ密着面１１は、周囲気密面２２の屋内側端部の段差部２２ａに対して垂直な梁つなぎ２の周囲の形状と略同一形状の四角柱形状に形成されている。
【００２２】
また、本実施形態においては、図８及び図９に示すように、気密カバー８は、梁つなぎ２の他側面２ｂを含む平面に沿って２個に分割することにより第１断熱気密カバー１３ａと第２断熱気密カバー１３ｂとを形成しており、第１断熱気密カバー１３ａは梁つなぎ２の上面２ｃ、下面２ｄ及び一側面２ａを覆う断面略コ字形部分で構成され、第２断熱気密カバー１３ｂは、梁つなぎ２の他側面２ｂを覆う断面略Ｉ字形部分で構成されている。そして、第１断熱気密カバー１３ａと第２断熱気密カバー１３ｂとの結合部には、それぞれ上下に垂直方向に延設された結合面２３が設けられており、該結合面２３において密着することにより気密性を確保しつつ一体的に結合するようになっている。そして、図示しないが、第１断熱気密カバー１３ａ及び第２断熱気密カバー１３ｂにおける断熱部９の密着面、気密部のカバー密着面１０、梁つなぎ密着面１１及び結合面２３には、あらかじめ両面粘着テープが設けられており、それぞれ密着すべき面に対して容易に密着させることができ、気密性を確保することができるようになっている。これにより、断熱気密カバー１３は、接続部Ａから屋内側へ所定距離Ｌだけ離れた位置までにおける梁つなぎ２の周囲の断熱性及び気密性を確保することができる。
【００２３】
そして、図１、図８及び図１０に示すように、Ｃ形断面の梁つなぎ２の内部の空洞部における前記断熱気密カバー１３の梁つなぎ密着面１１の内側位置には、前記空洞部の断面形状に合致する形状の断熱気密パッキング１４を嵌入する。該断熱気密パッキング１４は、梁つなぎ２の内部の空洞部の形状に合わせて、該空洞部の断面形状と略同一の断面形状を有するように形成した断熱気密部材であり、具体的には、発泡ポリエチレン等の弾力性及び気密性を有するブロックを所定の形状に成形したもの等を使用することができる。これにより、梁つなぎ２の内部の空洞部を通る空気の流れを断熱気密カバー１３の梁つなぎ密着面１１の内側位置において遮断することができるので、断熱気密カバー１３により囲まれた空洞部に屋内の空気が流入することを防止することができるので、比較的低温になっている梁つなぎ２の屋外側の内側面に結露が生じることがない。断熱気密パッキング１４の取付けは、前記断熱気密カバー１３の取付けよりも先に行うことも可能であり、後から行うことも可能である。なお、本実施形態においては、Ｃ形断面の梁つなぎ２としているが、これに限定されるものではなく、梁つなぎ２の断面形状が四角形断面、円形断面、コ字形断面、Ｈ形断面等、他の断面形状である場合においても全く同様の構造とすることができる。
【００２４】
また、本発明の第２実施形態に係る梁の接続部における断熱気密構造は、前記第１の実施形態に係る梁の接続部における断熱気密構造において、前記断熱気密パッキング１４を設けない構造としたものである。すなわち、梁つなぎ２の断面形状がＨ形断面やコ字形断面である場合等のように梁つなぎ２の空洞部が大きく開口している場合や空洞部を有しない場合には、図１１に示すように、前記断熱気密カバー１３の断熱部９の密着面の形状を梁つなぎ２の全周囲に密着させることができる形状とすることにより、前記断熱気密パッキング１４を設けない構造とすることができる。本実施形態においては、梁つなぎ２の断面形状がＨ形断面であるので、断熱気密カバー１３の断熱部９の密着面の形状をそれに合わせてＨ形に形成し、梁つなぎ２の全周囲に密着させて配置している。これにより、前記断熱気密パッキング１４を設けた場合と同様に、断熱気密カバー１３により囲まれた空洞部に屋内の空気が流入することを防止することができる。
【００２５】
【発明の効果】
以上説明したように、本発明の請求項１に係る梁の接続部における断熱気密構造によれば、外周梁の屋内側面は外周断熱材により、接続部から屋内側へ所定距離だけ離れた位置までにおける前記梁つなぎの周囲は断熱気密カバーの断熱部によりそれぞれ断熱されるとともに、気密シート、気密カバー及び断熱気密カバーの気密部により断熱部材の屋内側に気密面を形成しているので、外部の空気により冷やされて低温になった外周梁及び梁つなぎの屋外側部分が、屋内の比較的暖かく湿った空気に触れることがなく、梁の周囲に結露が生じることを防止することができる。また、前記気密カバー及び前記断熱気密カバーを用いることにより、外周梁と梁つなぎとの接続部の複雑な形状の部分に被せて密着させるだけで容易に且つ確実に気密性を確保することができる。
【００２６】
本発明の請求項２に係る梁の接続部における断熱気密構造によれば、前記梁つなぎの内部の空洞部における前記断熱気密カバーの梁つなぎ密着面の内側位置に、前記空洞部の断面形状に合致する形状の断熱気密パッキングを嵌入したことにより、前記梁つなぎが内部に空洞を有する場合においても梁つなぎの屋外側部分の断熱性及び気密性を確保することができ、上述の請求項１に係る梁の接続部における断熱気密構造と同様の効果を得ることができる。
【００２７】
本発明の請求項３に係る梁の接続部における断熱気密構造によれば、上述の効果に加えて、前記気密カバーは、前記外周密着面が平面形状に形成され、前記端部密着面が前記梁つなぎの接続端部の形状に合致する嵌合凹溝を有して形成されていることにより、前記外周梁と梁つなぎとの接続部の複雑な形状の部分に容易且つ確実に密着させることができるので、簡易な施工で確実に気密性を確保することができる。
【００２８】
本発明の請求項４に係る梁の接続部における断熱気密構造によれば、上述の効果に加えて、前記断熱気密カバーは、前記断熱部が前記梁つなぎの周囲の形状と略同一形状の密着面を有して一定厚さに形成され、前記気密部が前記断熱部の周囲に密着して覆う周囲気密面と、該周囲気密面に垂直に形成されて前記気密カバーに密着する平面形状のカバー密着面と、前記断熱部より屋内側における前記梁つなぎの周囲の形状と略同一形状の梁つなぎ密着面とを有して形成されたことにより、前記外周梁と梁つなぎとの接続部及び梁つなぎの周囲の複雑な形状の部分に容易且つ確実に密着させることができるので、簡易な施工で確実に断熱性及び気密性を確保することができる。
【図面の簡単な説明】
【図１】本発明の実施形態に係る梁の接続部における断熱気密構造を示す斜視図である。
【図２】住宅の各階の間に設けられた梁の配置を示した平面図である。
【図３】外周梁と梁つなぎとの接続部の構造を示す斜視図である。
【図４】梁の接続部に断熱材を配置した状態を示す斜視図である。
【図５】梁の接続部に気密シートを配置した状態を示す斜視図である。
【図６】梁の接続部に気密カバーを配置した状態を示す斜視図である。
【図７】本発明の実施形態に係る気密カバーを示す斜視図である。
【図８】本発明の実施形態に係る断熱気密カバーを示す斜視図である。
【図９】梁の接続部における断熱気密構造を断熱気密カバーの断熱部において切断した断面を示す断面図である。
【図１０】梁の接続部における断熱気密構造を断熱気密カバーの梁つなぎ密着部において切断した断面を示す断面図である。
【図１１】本発明の第２実施形態に係る梁の接続部における断熱気密構造を示す断面図である。
【図１２】従来例に係る外周梁と梁つなぎとの接続部の構造を示す斜視図である。
【図１３】従来例に係る梁の接続部における断熱気密構造を示す斜視図である。
【符号の説明】
１  外周梁
２  梁つなぎ
３  外周断熱材
４  気密シート
８  気密カバー
９  断熱部
１２  気密部
１３  断熱気密カバー
１４  断熱気密パッキング
Ａ  接続部
【図１】
0003763511.tif 000002
【図２】
0003763511.tif 000003
【図３】
0003763511.tif 000004
【図４】
0003763511.tif 000005
【図５】
0003763511.tif 000006
【図６】
0003763511.tif 000007
【図７】
0003763511.tif 000008
【図８】
0003763511.tif 000009
【図９】
0003763511.tif 000010
【図１０】
0003763511.tif 000011
【図１１】
0003763511.tif 000012
【図１２】
0003763511.tif 000013
【図１３】
0003763511.tif 000014